(57)【要約】【課題】  脚の開閉作業が容易で、かつ、脚を開脚状態および閉脚状態でそれぞれ確実にロックできる壁紙糊付機を提供する。【解決手段】脚２の支点下方に係止用突起５を設け、例えば第１切欠き６を有する第１ロックレバー８と第２切欠き９を有する第２ロックレバー11を設けて、ハンドル棒14の操作により第１ロックレバー８と第２ロックレバー11とを連動させて回動させるようロック機構を構成し、第１ロックレバー８の一方向への回動により第１切欠き６が係止用突起５と係合して脚２が開脚状態でロックされ（ａ）、第１ロックレバー８の他方向への回動によりロック解除となって脚２を閉じることができ（ｂ）〜（ｄ）、閉脚状態での第１ロックレバー８のロック方向への回動により第２切欠き９が係止用突起５と係合して閉脚状態でロック状態となるようにする（ｆ）。【選択図】    図２
2007229702.tif 000002
【特許請求の範囲】
【請求項１】
糊付機本体を支持するフレームと該フレームの四隅に取り付けられてフレーム長手方向に開脚および閉脚自在に上端部が軸支された脚とからなる脚部を備えた壁紙糊付機において、
前記脚の上端部軸支位置から下端部側へ所定寸法離れた位置に設けられた係止用突起と、
前記脚が開脚状態にあるときに該脚の前記係止用突起と係合可能な第１切欠きおよび先端部の長穴またはピンを有し、前記フレーム側に固定された第１支点を中心に回動可能な第１ロックレバーと、
前記脚が閉脚状態にあるときに該脚の前記係止用突起と係合可能な第２切欠きおよび先端部のピンまたは長穴を有し、前記フレーム側に固定された第２支点を中心に回動可能な第２ロックレバーとよりなるロック機構を具備し、
前記第１ロックレバーの先端部と前記第２ロックレバーの先端部とを前記長穴およびピンの係合により連結し、前記第１ロックレバーと前記第２ロックレバーが連動して反対方向に回動して、前記脚を開脚したときに、前記第１ロックレバーの第１切欠きが前記脚の前記係止用突起と係合して該脚を開脚状態でロックし、前記脚を閉脚したときに、前記第２ロックレバーの第２切欠きが前記脚の前記係止用突起と係合して前記脚を閉脚状態でロックすることを特徴とする壁紙糊付機。
【請求項２】
糊付機本体を支持するフレームと該フレームの四隅に取り付けられてフレーム長手方向に開脚および閉脚自在に上端部が軸支された脚とからなる脚部を備えた壁紙糊付機において、
前記脚の上端部軸支位置から下端部側へ所定寸法離れた位置に設けられた係止用突起と、
前記脚が開脚状態にあるときに該脚の前記係止用突起と係合可能な第１切欠きおよび先端部の長穴またはピンを有し、前記フレーム側に固定された第１支点を中心に回動可能で、前記第１支点による回動中心と前記第１切欠きとの間に第２のピンおよび突起を形成した第１ロックレバーと、
前記脚が閉脚状態にあるときに該脚の前記係止用突起と係合可能な第２切欠きおよび先端部のピンまたは長穴を有し、前記フレーム側に固定された第２支点を中心に回動可能な第２ロックレバーと、
前記第１ロックレバーの前記第２のピンに軸支され、フレームに設けた係止用突起と係合する切欠きを形成し、下端部が前記第１ロックレバーの突起と当接するハンドル棒と、
該ハンドル棒と前記第１ロックレバーとの間に回動力を付与して前記ハンドル棒の切欠きをフレームに設けた前記係止用突起と係合させるバネとよりなるロック機構し、
前記第１ロックレバーの先端部と前記第２ロックレバーの先端部とを前記長穴およびピンの係合により連結し、前記第１ロックレバーと前記第２ロックレバーが連動して反対方向に回動して、前記脚を開脚したときに、前記第１ロックレバーの第１切欠きが前記脚の前記係止用突起と係合して該脚を開脚状態でロックし、前記脚を閉脚したときに前記第２ロックレバーの第２切欠きが前記脚の前記係止用突起と係合して前記脚を閉脚状態でロックし、開脚状態にある前記第１ロックレバー側からの回動を前記ハンドル棒の切欠きと前記係止用突起との係合により阻止することを特徴とする壁紙糊付機。
【請求項３】
糊付機本体を支持するフレームと該フレームの四隅に取り付けられてフレーム長手方向に開脚および閉脚自在に上端部が軸支された脚とからなる脚部を備えた壁紙糊付機において、
前記脚の上端部軸支位置から下端部側へ所定寸法離れた位置に設けられた係止用突起と、
前記脚が開脚状態にあるときに該脚の前記係止用突起と係合可能な第１切欠きおよび先端部の長穴またはピンを有し、前記フレーム側に固定された第１支点を中心に回動可能で、前記第１支点による回動中心と前記第１切欠きとの間に第２のピンおよび突起を形成した第１ロックレバーと、
前記脚が閉脚状態にあるときに該脚の前記係止用突起と係合可能な第２切欠きおよび先端部の第２のピンまたは長穴を有し、前記フレーム側に固定された第２支点を中心に回動可能な第２ロックレバーと、
前記第１ロックレバーの前記第２のピンにガタツキを持たせて軸支され、下端部が前記第１ロックレバーの突起と当接するハンドル棒と、
該ハンドル棒と前記第１ロックレバーとの間に回動力を付与してハンドル棒の切欠きをフレームに設けた前記係止用突起と係合させるバネとよりなり、前記ハンドル棒により連動するロック機構を糊付機本体の前後に具備し、
前記第１ロックレバーの先端部と前記第２ロックレバーの先端部とを前記長穴およびピンの係合により連結し、前記第１ロックレバーと前記第２ロックレバーが連動して反対方向に回動して、前記脚を開脚したときに、前記第１ロックレバーの第１切欠きが前記脚の前記係止用突起と係合して該脚を開脚状態でロックし、前記脚を閉脚したときに前記第２ロックレバーの第２切欠きが前記脚の前記係止用突起と係合して前記脚を閉脚状態でロックし、ハンドル棒を前記第１ロックレバーの前記第２のピンにガタツキを持たせて軸支することにより、開脚状態にある前後何れか一方のロック機構の前記第１ロックレバー側からの回動が、反対側の第１ロックレバーへ伝達しないように構成したことを特徴とする壁紙糊付機。
【請求項４】
糊付機本体を支持するフレームと該フレームの四隅に取り付けられてフレーム長手方向に開脚および閉脚自在に上端部が軸支された脚とからなる脚部を備えた壁紙糊付機において、
前記脚の上端部軸支位置から下端部側へ所定寸法離れた位置に設けられた係止用突起と、
前記脚が開脚状態にあるときに該脚の前記係止用突起と係合可能な第１切欠きと、前記脚が閉脚状態にあるときに該脚の前記係止用突起と係合可能な第２切欠きを有し、前記フレーム側に固定された支点を中心に回動可能なロックレバーとを具備し、
前記脚を開脚したときに前記第１切欠きが前記脚の前記係止用突起と係合する位置に回動させることにより該脚を開脚状態でロックし、前記脚を閉脚したときに前記第２切欠きが前記脚の前記係止用突起と係合する位置に回動させることにより前記脚を閉脚状態でロックすることを特徴とする壁紙糊付機。
【請求項５】
糊付機本体を支持するフレームと該フレームの四隅に取り付けられてフレーム長手方向に開脚および閉脚自在に上端部が軸支された脚とからなる脚部を備えた壁紙糊付機において、
前記脚の上端部軸支位置から下端部側へ所定寸法離れた位置に設けられた係止用突起と、
前記脚が開脚状態にあるときに該脚の前記係止用突起と係合可能な第１切欠きと、前記脚が閉脚状態にあるときに該脚の前記係止用突起と係合可能な第２切欠きとを有し、前記フレーム側に固定された支点を中心に回動可能なロックレバーよりなり、前記ロックレバーに結合したハンドル棒により連動するロック機構を糊付機本体の前後に具備し、
前記ロックレバーと前記ハンドル棒とをガタツキを持たせて結合することにより、開脚状態にある前後何れか一方のロック機構の前記第１ロックレバー側からの回動が、反対側の第１ロックレバーへ伝達しないように構成したことを特徴とする壁紙糊付機。
【請求項６】
前記脚を閉脚方向に付勢する付勢手段を設けたことを特徴とする請求項１〜５の何れかに記載の壁紙糊付機。
【発明の詳細な説明】
【技術分野】
【０００１】
本発明は、壁紙糊付機に関し、特に、糊付機本体を支持するフレームと、このフレームの四隅に取り付けられフレーム長手方向に開脚および閉脚自在に上端部が軸支された脚とからなる脚部を備えた壁紙糊付機を、脚の開閉作業が容易で、かつ、脚を開脚状態および閉脚状態でそれぞれ確実にロックできるように構成する技術に関する。
【背景技術】
【０００２】
図１３の側面図に示すように、壁紙糊付機は、糊箱や、糊付けおよび紙送り等を行うローラー群を備えた糊付機本体Ａと、脚部Ｂとで構成されている。そして、その脚部Ｂは、糊付機本体Ａを支持するフレーム１と、フレーム四隅の脚２とにより構成され、通常、壁紙糊付機を車等で運搬する際に嵩張らないよう、脚２が折り畳み式になっている。そして、その場合に、脚２を使用するときに開脚状態で固定する方法として、ノブボルトで固定したり、パチン錠で固定するようにしたものが従来から知られている。しかし、従来の固定方法では、安定性はあるが作業が面倒であるとか、逆に、作業は容易であるが安定性に欠けるなどの問題がある。
【０００３】
そこで、例えば、開脚状態にあるときに脚の回動支点より根元側において脚の側面に当接し、付勢手段により付勢されて脚を開脚状態にロックするロック部材を設けたものが提案されている（例えば、特許文献１参照）。
【０００４】
また、そのようにロック部材が脚の回動支点より根元側に当接する構造では、脚の回動支点より上方（根元側）にロック部材を当接させるための延長部分を設けることになり、その部分が閉脚した状態で回動支点より外側へせり出す形になるので、その分、糊付機の幅寸法が大きくなってしまう（脚間の距離が一定の場合）ということから、フレームに設けた支持部材に脚の上端部を回動可能に軸支し、脚の回動支点より下方に係止用突起を設け、支持部材に、脚の係止用突起と係合するロック手段を取り付けることにより、作業が容易で、安定性があり、かつ、糊付機の外形寸法とくに幅方向の寸法を短くできるようにしたものも提案されている（例えば、特許文献２参照。）
【特許文献１】特開平９−２９９８４５号公報
【特許文献２】特開２００１−１７０５３１号公報
【発明の開示】
【発明が解決しようとする課題】
【０００５】
しかしながら、従来の壁紙糊付機は、開脚状態にあるときに脚の回動支点より根元側において脚の側面に当接し、付勢手段により付勢されて脚を開脚状態にロックするロック部材を設けたものにおいては、上述のように、脚の回動支点より根元側に延長部分が必要で、その部分が閉脚状態で外側へせり出すという問題があり、また、脚を回動支点よりも根元側でロックするため、側方から外力を受けたときの応力が大きくなり、ロック状態が安定しないという問題がある。
【０００６】
また、フレームに設けた支持部材に脚の上端部を回動可能に軸支し、脚の回動支点より下方に係止用突起を設け、支持部材に、脚の係止用突起と係合するロック手段を取り付けたものでは、上述のように、作業が容易で、安定性があり、糊付機の幅方向寸法が、脚の開閉で大きくなることはないが、それでも、なお、解決すべき課題が残る。
【０００７】
すなわち、壁紙糊付機の脚を開脚状態で固定する手段は上記のようにいろいろあるが、それらはいずれも開脚時専用であって、脚を折り畳んで車等で運ぶ際に、脚を安定させるためには、脚を閉脚状態で固定する手段を別途設ける必要がある。しかし、そのように閉脚用の固定手段を別途設けると、開脚するときは、閉脚用の固定手段を解除して開脚した後、開脚用の固定手段を固定方向に操作する必要があり、閉脚するときは、開脚用の固定手段を解除して閉脚した後、閉脚用の固定手段を固定方向に操作する必要があって、車等で運ぶ際の積み降ろしの作業が煩雑である。
【０００８】
本発明は、このような課題を解決するために考えられたもので、脚の開閉作業が容易で、かつ、脚を開脚状態および閉脚状態においてそれぞれ確実にロックできる壁紙糊付機を提供することを目的とする。
【課題を解決するための手段】
【０００９】
本発明の壁紙糊付機は、糊付機本体を支持するフレームと該フレームの四隅に取り付けられてフレーム長手方向に開脚および閉脚自在に上端部が軸支された脚とからなる脚部を備えた壁紙糊付機において、前記脚の上端部軸支位置から下端部側へ所定寸法離れた位置に設けられた係止用突起と、前記脚が開脚状態にあるときに該脚の前記係止用突起と係合可能な第１切欠きおよび先端部の長穴またはピンを有し、前記フレーム側に固定された第１支点を中心に回動可能な第１ロックレバーと、前記脚が閉脚状態にあるときに該脚の前記係止用突起と係合可能な第２切欠きおよび先端部のピンまたは長穴を有し、前記フレーム側に固定された第２支点を中心に回動可能な第２ロックレバーとよりなるロック機構を具備し、前記第１ロックレバーの先端部と前記第２ロックレバーの先端部とを前記長穴およびピンの係合により連結し、前記第１ロックレバーと前記第２ロックレバーが連動して反対方向に回動して、前記脚を開脚したときに、前記第１ロックレバーの第１切欠きが前記脚の前記係止用突起と係合して該脚を開脚状態でロックし、前記脚を閉脚したときに、前記第２ロックレバーの第２切欠きが前記脚の前記係止用突起と係合して前記脚を閉脚状態でロックするように構成したものである。
【００１０】
この壁紙糊付機は、脚を開いた状態で使用し、運搬時等に嵩張らないよう脚を折り畳む（閉じる）ものであって、脚は上端部の支点を中心に回動自在である。そして、開脚および閉脚の際のロックおよびロック解除の操作は一方のロックレバー、例えば第１ロックレバーの回動操作により行うもので、その場合、開脚状態では、第１ロックレバーを一方向（ロック方向）に回動し、第１切欠きを脚の係止用突起と係合させることで、脚が開脚状態でロックされる。そして、閉脚するときは、第１ロックレバーを反対方向（解除方向）に回動させると、第１切欠きが脚の係止用突起から外れてロックが解除され、その状態で脚を上端部の支点を中心に回動させて閉じていき、脚が完全に閉じた状態で第１ロックレバーをロック方向に回動させると、第２ロックレバーが連動して回動し、第２切欠きが脚の係止用突起と係合して脚が閉脚状態でロックされる。また、開脚する時は、第１ロックレバーを解除方向に回動させると、第２ロックレバーが連動して回動し、第２切欠きが脚の係止用突起から外れてロックが解除され、その状態で脚を回動させて開いていき、脚が完全に開いた状態で第１ロックレバーをロック方向に回動させると、第１切欠きが脚の係止用突起と係合して脚が閉脚状態でロックされる。このようにして脚を開脚状態および閉脚状態でそれぞれ確実にロックでき、かつ、１つのロックレバーの回動操作で脚のロックあるいはロック解除を行うことができる。そのため、例えば壁紙糊付機を車等で運ぶ際の積み降ろしの際の脚の開閉作業が容易になる。そして、この壁紙糊付機は、脚を開脚状態および閉脚状態で固定するためのロックレバーを、連動する２つのロックレバーで構成したことにより、第１切欠きと第２切欠きが、開脚時および閉脚時にそれぞれ係止用突起と略直角に係合するよう構成することができ、ロックを一層確実なものとすることができる。
【００１１】
また、本発明の壁紙糊付機は、糊付機本体を支持するフレームと該フレームの四隅に取り付けられてフレーム長手方向に開脚および閉脚自在に上端部が軸支された脚とからなる脚部を備えた壁紙糊付機において、前記脚の上端部軸支位置から下端部側へ所定寸法離れた位置に設けられた係止用突起と、前記脚が開脚状態にあるときに該脚の前記係止用突起と係合可能な第１切欠きと、前記脚が閉脚状態にあるときに該脚の前記係止用突起と係合可能な第２切欠きを有し、前記フレーム側に固定された支点を中心に回動可能なロックレバーとを具備し、前記脚を開脚したときに前記第１切欠きが前記脚の前記係止用突起と係合する位置に回動させることにより該脚を開脚状態でロックし、前記脚を閉脚したときに前記第２切欠きが前記脚の前記係止用突起と係合する位置に回動させることにより前記脚を閉脚状態でロックするように構成することができる。
【００１２】
この壁紙糊付機は、脚を開いた状態で使用し、運搬時等に嵩張らないよう脚を折り畳む（閉じる）ものであって、脚は上端部の支点を中心に回動自在である。そして、開脚状態では、ロックレバーを一方向（ロック方向）に回動し、第１切欠きを脚の係止用突起と係合させることで、脚が開脚状態でロックされる。そして、閉脚するときは、ロックレバーを反対方向（解除方向）に回動させると、第１切欠きが脚の係止用突起から外れてロックが解除され、その状態で脚を上端部の支点を中心に回動させて閉じていき、脚が完全に閉じた状態でロックレバーをロック方向に回動させると、第２切欠きが脚の係止用突起と係合して脚が閉脚状態でロックされる。また、開脚するときは、ロックレバーを解除方向に回動させると、第２切欠きが脚の係止用突起から外れてロックが解除され、その状態で脚を回動させて開いていき、脚が完全に開いた状態でロックレバーをロック方向に回動させると、第１切欠きが脚の係止用突起と係合して脚が閉脚状態でロックされる。このようにして脚を開脚状態および閉脚状態でそれぞれ確実にロックでき、かつ、１つのロックレバーの回動操作で脚のロックあるいはロック解除を行うことができる。そのため、例えば壁紙糊付機を車等で運ぶ際の積み降ろしの際の脚の開閉作業が容易になる。この壁紙糊付機は、脚を開脚状態および閉脚状態で固定するためのロックレバーが１つであり、ロック機構の部品点数が少なくて済む。
【００１３】
また、本発明の上記壁紙糊付機は、脚を閉脚方向に付勢する付勢手段を設けることにより、例えば脚のロックを解除して壁紙糊付機を車から降ろす際に、脚が自重で不意に勢いよく開くのを防止し、作業に支障が生じないようにすることができる。
【発明の効果】
【００１４】
本発明の壁紙糊付機は、脚を開脚状態および閉脚状態で固定するためのロックレバーを、連動する２つのロックレバーで構成することができ、そうすることで、第１切欠きと第２切欠きが、開脚時および閉脚時にそれぞれ係止用突起と略直角に係合するよう構成でき、ロックを一層確実なものとすることができる。
【００１５】
また、本発明の壁紙糊付機は、脚を開脚状態および閉脚状態でそれぞれ確実にロックでき、かつ、１つのロックレバーの回動操作で脚のロックあるいはロック解除を行うことができるので、例えば壁紙糊付機を車等で運ぶ際の積み降ろし時の脚の開閉作業が容易である。
【００１６】
さらに、本発明の壁紙糊付機は、脚を閉脚方向に付勢する付勢手段を設けることにより、例えば脚のロックを解除して壁紙糊付機を車から降ろす際に、脚が自重で不意に勢いよく開くのを防止し、作業に支障が生じないように構成することができる。
【発明を実施するための最良の形態】
【００１７】
（第１実施形態）
図１および図２は、本発明の第１実施形態を示している。図１は、壁紙糊付機の脚部のロック機構の構成を示す脚部長手方向に直角な垂直断面を示す断面図（ａ）および脚部長手方向に沿う垂直断面を示す断面図（ｂ）であり、図２は、壁紙糊付機の脚部の開閉動作を示す説明図（ａ）〜（ｆ）である。
【００１８】
この実施形態の壁紙糊付機は、糊箱や、糊付けおよび紙送り等を行うローラー群を備えた糊付機本体と、脚部とにより構成される。糊付機本体は、図１３に示すように、従来より周知の構成のものである。また、脚部は、糊付機本体を支持するフレーム１と、フレーム四隅の脚２とで構成され、脚が折り畳み式になっている。
【００１９】
脚部の脚２は、上端部が、フレーム１の四隅に下方垂直となる配置で取り付けられた支持部材３に固定された支持軸４に回動自在に軸支され、フレーム１の長手方向（図１（ａ）の前後方向、図１（ｂ）の左右方向）に開脚および閉脚自在である。
【００２０】
そして、各脚２には、その上端部の支持軸４に軸支された位置（支点位置）から下端部側へ所定寸法離れた位置に、フレーム１の前後方向（図１（ａ）の左右方向、図１（ｂ）の前後方向）の内側へ向けて突出するよう係止用突起５が設けられている。なお、係止用突起５は、図示の例では脚２のフレーム１の長手方向の内側の側面に溶接固定しているが、これに限定されるものではない。
【００２１】
そして、この壁紙糊付機の脚部は、脚２を開脚状態および閉脚状態でロックし、またロックを解除して開閉操作を可能とするため、脚２が開脚状態にあるときに脚２の係止用突起５と係合可能な第１切欠き６を有し、フレーム１に固定された第１支点ピン（第１支点）７を中心に回動可能で、脚２を開脚したときに第１切欠き６が脚２の係止用突起５と係合する位置に回動することにより脚２を開脚状態でロックする第１ロックレバー８と、脚２が閉脚状態にあるときに脚２の係止用突起５と係合可能な第２切欠き９を有し、フレーム１に固定された第２支点ピン（第２支点）10を中心に回動可能で、脚２を閉脚したときに第２切欠き９が脚２の係止用突起５と係合する位置に回動することにより脚２を閉脚状態でロックする第２ロックレバー11を設けている。
【００２２】
第１ロックレバー８と第２ロックレバー11とを、第１ロックレバー８の先端部の長穴12と、第２ロックレバー11の先端部のピン13との係合により連結し、回動操作用のハンドル棒14の両端を図１（ｂ）に示すように前後各一対の脚２の第１ロックレバー８に固定して、このハンドル棒14の操作により第１ロックレバー８を回動操作し、第２ロックレバー11を連動させて回動させるよう構成したロック機構を設けている。
【００２３】
そして、第１支点ピン７には、図１（ａ）に示すようにバネ部材７ａを取り付けて、その一端を第１ロックレバー８に掛け、第１ロックレバー８をロック方向へ回動するよう付勢している。
【００２４】
この壁紙糊付機は、図２に示すように、開脚状態では、バネ部材７ａの付勢力により第１ロックレバー８をロック方向（図２（ａ）で時計回り方向）に回動し、第１切欠き６を脚２の係止用突起５と係合させることにより、脚２が開脚状態でロックされる（図２（ａ）参照）。その際、図２（ａ）に示すように、係止用突起５は第１切欠き６と略直角に接触して係合する。
【００２５】
そして、閉脚するときは、ハンドル棒14を操作して第１ロックレバー８を解除方向（図２（ｂ）で反時計回り方向）に回動させると、第１切欠き６が脚２の係止用突起５から外れてロックが解除され、この状態で、脚２を手で支持軸４（上端部の支点）を中心に回動させて閉じていくことができる（図２（ｂ）、（ｃ）、（ｄ）参照）。
【００２６】
そして、脚２が完全に閉じると、第２ロックレバー11の第２切欠き９が脚２の係止用突起５に係合可能となる（図２（ｅ）参照）。
【００２７】
この状態で、バネ部材７ａによって第１ロックレバー８には常に時計回り方向へ付勢力が作用しているので、第１ロックレバー８はロック方向（図２（ｆ）で時計回り方向）に回動させられ、第２ロックレバー11が連動して第２支点ピン10を中心に反時計回り方向に回動し、第２切欠き９が脚２の係止用突起５と係合して、脚２が閉脚状態でロックされる（図２（ｆ）参照）。その際、図２（ｆ）に示すように、係止用突起５は第２切欠き９と略直角に接触して係合する。
【００２８】
また、開脚するときは、ハンドル棒14を操作して第１ロックレバー８を解除方向（図２の（ｅ）で反時計回り方向）に回動させると、第２ロックレバー11が連動して回動し、第２切欠き９が脚２の係止用突起５から外れてロックが解除される（図２（ｄ）参照）。この状態で脚２を回動させて開いていくことができる（図２（ｄ）、（ｃ）、（ｂ）参照）。
【００２９】
そして、脚２が完全に開いた状態で、バネ部材７ａにより第１ロックレバー８がロック方向（図２（ａ）で時計回り方向）に回動させられ、第１切欠き６が脚２の係止用突起５と係合して脚２が開脚状態でロックされる（図２（ａ）参照）。
【００３０】
図３および図４は、本発明の第１実施形態の変形例を示している。図３は壁紙糊付機の脚部のロック機構の構成を示す脚部長手方向に直角な垂直断面を示す断面図（ａ）および脚部長手方向に沿う垂直断面を示す断面図（ｂ）、図４は壁紙糊付機の脚部の開閉動作を示す説明図（ａ）〜（ｆ）である。
【００３１】
この変形例では、第１実施形態の壁紙糊付機において、脚２を閉脚方向に付勢するバネ15（付勢手段）を設けている。このバネ15は、一端をフレーム１側に設けたピン16に引っ掛け、他端を脚２の係止用突起５よりも先端側に設けたピン17に引っ掛けたものである。また、係止用突起５を延長してピン17を兼用させる形態としてもよい。
【００３２】
この壁紙糊付機の脚部の開閉動作は、図４に示すとおりで、基本的には図２を参照して説明した第１実施形態のものと同様であるが、脚２を閉脚方向に付勢するバネ15を設けたことにより、例えば閉脚状態の脚２のロックを解除して壁紙糊付機を車から降ろす際に、脚２が自重で不意に勢いよく開くのを防止し、作業に支障が生じないように構成することができる。
【００３３】
この場合、第２切欠き９が脚２の係止用突起５と係合して、脚２が閉脚状態でロックされた状態（図４（ａ）参照）から、ハンドル棒14を操作して第１ロックレバー８を解除方向（図４（ｂ）で反時計回り方向）に回動させると、第２ロックレバー11が連動して回動し、第２切欠き９が脚２の係止用突起５から外れてロックが解除され（図４（ｃ）参照）、この状態で脚２を回動させて開いて行くことができるが（図４（ｃ）、（ｄ）、（ｅ）参照）、その際、脚２が自重で勢いよく開こうとしても、脚２はバネ15で閉じ側に付勢されていて、バネ15が伸びる程その付勢力が大きくなるため、脚２が開くにつれて開速度が遅くなる。
【００３４】
そして、最後には、バネ15の付勢力に抗するように脚２を開くことになり、完全に開いた状態でバネ部材７ａの付勢力で第１ロックレバー８がロック方向（図２（ａ）で時計回り方向）に回動させられ、第１切欠き６が脚２の係止用突起５と係合して脚２が開脚状態でロックされる（図４（ｆ）参照）。また、以上の実施形態においては、第１ロックレバー８側にピンを設け、第２ロックレバー11側に長穴をあけるように構成してもよいのである。
【００３５】
また、閉脚時はこの逆の動作となるが、その際、バネ15の付勢力が閉脚方向に作用するため、手で脚２を閉じる際の力が小さくて済む。
【００３６】
（第２実施形態）
以上で説明した第１実施形態においては、壁紙糊付機を開脚状態または閉脚状態にロックするために、第１ロックレバー８および第２ロックレバー11よりなるロック機構を４本の脚２ごとに前後左右に４組備えている。
【００３７】
壁紙糊付機が開脚状態にあるときに、前後何れか一方の第１ロックレバー８または第２ロックレバー11に内側から、不用意に作業者の手が当たったり、物が当たると、両ロックレバー８、11が回動することがある。
【００３８】
前側（または後側）の第１ロックレバー８の回動により、ハンドル棒14も回動させられて後側（または前側）の第１ロックレバー８も回動させるので、前後両方の第２ロックレバー11の切欠き９が係止用突起５から外れてロックが解除され、閉脚して壁紙糊付機が傾いたり転倒するおそれがある。
【００３９】
そこで、第２実施形態においては、第１ロックレバー８または第２ロックレバー11を内側から押しても、ハンドル棒14を操作しない限り、両ロックレバー８、11が回動しないように構成したものである。
【００４０】
図５に示すように、基本的な構成は第１実施形態と同じであるから、同一部分に同一符号を付して重複する部分の説明は省略する。
【００４１】
第１ロックレバー８に、第３支点ピン31および突起8ａを形成し、この第３支点ピン31を軸としてハンドル棒14を軸支させる。ハンドル棒14には、切欠き14ａおよび突起14ｂが形成されており、この切欠き14ａは、支持部材３に設けた係止用突起3ａに係合するものである。そして、ハンドル棒14を常に時計回り方向へ付勢するために、第1支点ピン７とハンドル棒14に設けた突起14ｂの間にバネ32が掛けられている。
【００４２】
この壁紙糊付機は、図６（ａ）に示すように、開脚状態において、第１ロックレバー８の第１切欠き６が脚２の係止用突起５と係合するとともに、ハンドル棒14の切欠き14ａが支持部材３に設けた係止用突起3ａと係合している。
【００４３】
この開脚状態において、第１ロックレバー８または第２ロックレバー11が内側から押されて、第１ロックレバー８が第1支点ピン７を軸として回ろうとしても、第１ロックレバー８は、第1支点ピン７により軸支され、ハンドル棒14は、第1支点ピン７から離れた第３支点ピン31により軸支され、しかもハンドル棒14の切欠き14ａが係止用突起3ａと係合しているので、ハンドル棒14は上昇できない。したがって、ハンドル棒14を操作して、切欠き14ａと係止用突起3ａとの係合を解除しないと、第１ロックレバー８または第２ロックレバー11は回動することはない。
【００４４】
そして、閉脚するときには、ハンドル棒14を操作して回動させると、図６（ｂ）に示すように、ハンドル棒14の切欠き14ａが係止用突起3ａからはずれ、さらに回動させると、図６（ｃ）に示すように、ハンドル棒14の下部が第１ロックレバー８の突起8ａに当接して、第1支点ピン７を軸として第１ロックレバー８を反時計回り方向へ回動させる。この回動により、第１ロックレバー８の第１切欠き６が脚２の係止用突起５から外れてロックが解除され、この状態で、手で脚２を支持軸４を中心に回動させて閉じていくことができる（図６（ｄ）〜（ｆ）参照）。
【００４５】
そして、脚２が完全に閉じられると、第２ロックレバー11の第２切欠き９が脚２の係止用突起５に係合してロックされ、しかも、ハンドル棒14も切欠き14ａが支持部材３に設けた係止用突起3ａに係合してロックされるので、第１ロックレバー８または第２ロックレバー11を内側から押して回動することはできない（図６（ｆ）参照）。
【００４６】
また、開脚するときには、ハンドル棒14を操作すると、ハンドル棒14の切欠き14ａが係止用突起3ａからはずれて、第１ロックレバー８を解除方向（図６（ｅ）で反時計回り方向）に回動させると、第２ロックレバー11が連動して回動し、第２切欠き９が脚２の係止用突起５から外れてロックが解除される（図６の（ｄ）参照）。
【００４７】
この状態において脚２を回動させて開いていくことができる（図２（ｄ）、（ｃ）、（ｂ）参照）。そして、脚２が完全に開いた状態で、ハンドル棒14の切欠き14ａが係止用突起3ａに係合し、第１ロックレバー８の第１切欠き６が脚２の係止用突起５と係合して脚２が開脚状態でロックされる（図２（ａ）参照）。
【００４８】
（第３実施形態）
以上で説明した第２実施形態においては、開脚状態にある壁紙糊付機の不用意な閉脚を防止するために、ハンドル棒14に切欠き14ａを形成し、支持部材３に切欠き14ａと係合する係止用突起3ａを設けて、第１ロックレバー８または第２ロックレバー11の回動を阻止している。
【００４９】
図７に示すように、基本的な構成は第２実施形態と同じであるから、同一部分に同一符号を付して重複する部分の説明は省略する。
【００５０】
第３実施形態においては、第２実施形態のようにハンドル棒14に切欠き14ａを設けず、支持部材３にも係止用突起3ａを設けていない。その代わり、ハンドル棒14を支点ピン31に回動自在に軸支する際に、図８に示すように、ハンドル棒14の孔14ｃを支点ピン31の直径よりも大きくあけて、ガタツキを持たせておく。
【００５１】
このように、ハンドル棒14と第１ロックレバー８とをがたつかせて軸支しておくと、図８（ａ）に示すように、開脚状態においては、バネ32によりハンドル棒14が常に時計回り方向へ付勢されているので、ハンドル棒14の孔14ｃの右下に支点ピン31が接触している。
【００５２】
前側（または後側）の第１ロックレバー８または第２ロックレバー11に内側から、不用意に作業者の手が当たったり、物が当たって第１ロックレバー８または第２ロックレバー11を回動させると、図８（ｂ）に示すように、第１ロックレバー８の切欠き６が係止用突起５から外れるまで回動しても、ガタツキが存在するために、ハンドル棒14の孔14ｃの左上に支点ピン31が接触してから、ハンドル棒14が回動し始めるから、ハンドル棒14が回動しないか、ハンドル棒14が多少回動してもその回動角度は、第１ロックレバー８の回動角度よりも小さい、。
【００５３】
このようにハンドル棒14が多少回動しても、後側（または前側）の第１ロックレバー８を回動させるには至らないので、前後２組のいずれか一組の第１ロックレバー８の切欠き６と係止用突起５とのロックが外れても、他方の一組の第１ロックレバー８の切欠き６と係止用突起５との係合状態を持続しているから、閉脚することはないのである。
【００５４】
閉脚する際には、ハンドル棒14を操作し、ハンドル棒14の下部を第１ロックレバー８の突起8ａに当接させて、第１ロックレバー８を解除方向（図８の（ｂ）で反時計回り方向）にガタツキ以上に回動させると、第２ロックレバー11が回動し、第２切欠き９が脚２の係止用突起５から外れてロックが解除されるので、閉脚することができる。
【００５５】
（第４実施形態）
図９および図１０は、本発明の第４実施形態を示している。図９は、壁紙糊付機の脚部のロック機構の構成を示す脚部長手方向に直角な垂直断面を示す断面図（ａ）および脚部長手方向に沿う垂直断面を示す断面図（ｂ）であり、図１０は、壁紙糊付機の脚部の開閉動作を示す説明図（ａ）〜（ｆ）である。
【００５６】
この第４実施形態の壁紙糊付機は、第１実施形態と同様に、糊付機本体と脚部とにより構成され、脚部は、糊付機本体を支持するフレーム１と、折り畳み式の脚２とにより構成されている。脚２の軸支構造および動作は、第１実施形態と同様である。また、各脚２には、その上端部の支持軸４に軸支された位置（支点位置）から下端部側へ所定寸法離れた位置に、フレーム１の前後方向（図９の（ａ）の左右方向、図９の（ｂ）の前後方向）の内側へ向けて突出するように、例えば溶接により係止用突起５が設けられている。
【００５７】
そして、この壁紙糊付機の脚部は、脚２を開脚状態および閉脚状態においてロックし、またロックを解除して開閉操作を可能とするために、脚２が開脚状態にあるときに脚２の係止用突起５と係合可能な第１切欠き６と、脚２が閉脚状態にあるときに脚２の係止用突起５と係合可能な第２切欠き９を有し、フレーム１に固定された支点ピン（支点）７を中心に回動可能で、脚２を開脚したときに、第１切欠き６が脚２の係止用突起５と係合する位置に回動させることにより脚２を開脚状態でロックし、脚２を閉脚したときに、第２切欠き９が脚２の係止用突起５と係合する位置に回動させることにより脚２を閉脚状態でロックするロックレバー18を設け、回動操作用のハンドル棒14の両端を前後各一対の脚２のロックレバー18に固定して、このハンドル棒14の操作によりロックレバー18を回動させるように構成したロック機構を備えている。そして、支点ピン７には、図９（ａ）に示すように、バネ部材７ａを取り付けて、その一端をロックレバー18に掛け、ロックレバー18をロック方向（図９（ｂ）で時計回り方向）へ回動するよう付勢している。
【００５８】
この壁紙糊付機は、図１０に示すように、開脚状態では、ハンドル棒14を操作してロックレバー18をロック方向（図１０（ａ）で時計回り方向）に回動し、第１切欠き６を脚２の係止用突起５と係合させることにより、脚２が開脚状態でロックされる（図１０（ａ）参照）。
【００５９】
そして、閉脚するときは、バネ部材７ａの付勢力に抗して、ハンドル棒14を操作してロックレバー18を解除方向（図１０（ｂ）で反時計回り方向）に回動させると、第１切欠き６が、脚２の係止用突起５から外れてロックが解除され、この状態で、脚２を手で支持軸４（上端部の支点）を中心に回動させて閉じていくことができる（図１０（ｂ）、（ｃ）、（ｄ）参照）。
【００６０】
そして、脚２が完全に閉じると、第２切欠き９が脚２の係止用突起５に係合可能となる（図１０の（ｅ）参照）。
【００６１】
この状態で、バネ部材７ａの付勢力によりロックレバー18がロック方向（図１０（ｆ）で時計回り方向）に回動させられ、第２切欠き９が脚２の係止用突起５と係合して、脚２が閉脚状態でロックされる（図１０（ｆ）参照）。
【００６２】
また、開脚するときは、ハンドル棒14を操作してロックレバー18を解除方向（図１０（ｅ）で反時計回り方向）に回動させると、第２切欠き９が脚２の係止用突起５から外れてロックが解除される（図１０（ｄ）参照）。
【００６３】
この状態で脚２を回動させて開いて行くことができる（図１０（ｄ）、（ｃ）、（ｂ）参照）。
【００６４】
そして、脚２が完全に開いた状態で、バネ部材７ａの付勢力によりロックレバー18がロック方向（図１０（ａ）で時計回り方向）に回動させられ、第１切欠き６が脚２の係止用突起５と係合して脚２が開脚状態でロックされる（図１０（ａ）参照）。
【００６５】
図１１は、本発明の第４実施形態の変形例の壁紙糊付機の脚部のロック機構の構成を示す脚部長手方向に沿う垂直断面を示す断面図である。
【００６６】
この変形例では、第４実施形態の壁紙糊付機において、脚２を閉脚方向に付勢するバネ15（付勢手段）を設けている。このバネ15は、一端をフレーム１側に設けたピン16に引っ掛け、他端を脚２の係止用突起５よりも先端側に設けたピン17に引っ掛けたものである。
【００６７】
この壁紙糊付機の脚部の開閉動作は、基本的には図１０を参照して説明した第４実施形態のものと同様であるが、脚２を閉脚方向に付勢するバネ15を設けたことにより、例えば脚２のロックを解除して壁紙糊付機を車から降ろす際に、脚２が自重で不意に勢いよく開くことを防止し、作業に支障が生じないようにすることができる。この場合のバネ15の作用は第１実施形態の変形例で説明したものと同様である。
【００６８】
（第５実施形態）
以上で説明した第４実施形態においては、壁紙糊付機を開脚状態または閉脚状態にロックするために、ロックレバー18よりなるロック機構を４本の脚２ごとに前後左右に４組備えている。
【００６９】
壁紙糊付機が開脚状態にあるときに、前後何れか一方のロックレバー18に内側から、不用意に作業者の手が当たったり、物が当たると、ロックレバー18が回動することがある。この回動がハンドル棒14を介して反対側のロックレバー18にも伝達して、前後の両ロックレバー18を回動して第１切欠き６と脚２の係止用突起５との係合が外れてロックが解除され、閉脚して壁紙糊付機が傾いたり転倒することがある。
【００７０】
そこで、第５実施形態においては、一方のロックレバー18の回動が、ハンドル棒14を介して他方のロックレバー18へ伝達することを軽減するために、ハンドル棒14をロックレバー18に対してガタツキを持たせて取り付ける。
【００７１】
図１２に示すように、ロックレバー18にハンドル棒14を取り付ける際に、ロックレバー18に２つのピン18ａを植設し、ハンドル棒14に長穴14ｃおよび丸穴14ｄをあけ、ロックレバー18の２つのピン18ａをそれぞれ嵌め込んで、ロックレバー18に対してハンドル棒14をガタツキを持たせて取り付ける。なお、ハンドル棒14にあける穴は、２つとも長孔であってもよいのである。
【００７２】
前後何れかのロックレバー18に内側から、不用意に作業者の手が当たったり、物が当たってロックレバー18を回動させて、一方のロックレバー18の切欠き６が係止用突起５から外れるまで回動しても、ハンドル棒14との間にガタツキが存在するために、ハンドル棒14は回動しないか、ハンドル棒14が多少回動してもその回動角度は、ロックレバー18の回動角度よりも小さい、。
【００７３】
このようにハンドル棒14が多少回動しても、反対側のロックレバー18を回動させるには至らないので、前後２組のいずれか一組のロックレバー18の切欠き６と係止用突起５とのロックが外れても、他方の一組のロックレバー18の切欠き６と係止用突起５との係合状態を持続しているから、閉脚することはないのである。
【００７４】
閉脚する際には、ハンドル棒14を操作してロックレバー18を解除方向にガタツキ以上に回動させると、両ロックレバー18が回動し、第１切欠き６が脚２の係止用突起５から外れてロックが解除されるので、閉脚することができる。
【００７５】
以上、実施の形態を図示の例について説明したが、本発明はこれに限定されるものではなく、様々な態様で実施することが可能である。
【図面の簡単な説明】
【００７６】
【図１】本発明の第１実施形態の壁紙糊付機の脚部のロック機構の構成を示す脚部長手方向に直角な垂直断面を示す断面図（ａ）および脚部長手方向に沿う垂直断面を示す断面図（ｂ）である。
【図２】本発明の第１実施形態の壁紙糊付機の脚部の開閉動作を示す説明図（ａ）〜（ｆ）である。
【図３】本発明の第１実施形態の変形例の壁紙糊付機の脚部のロック機構の構成を示す脚部長手方向に直角な垂直断面を示す断面図（ａ）および脚部長手方向に沿う垂直断面を示す断面図（ｂ）である。
【図４】本発明の第１実施形態の変形例の壁紙糊付機の脚部の開閉動作を示す説明図（ａ）〜（ｆ）である。
【図５】本発明の第２実施形態の壁紙糊付機の脚部のロック機構の構成を示す脚部長手方向に直角な垂直断面を示す断面図（ａ）および脚部長手方向に沿う垂直断面を示す断面図（ｂ）である。
【図６】本発明の第２実施形態の壁紙糊付機の脚部の開閉動作を示す説明図（ａ）〜（ｆ）である。
【図７】本発明の第３実施形態の壁紙糊付機の脚部のロック機構の構成を示す脚部長手方向に直角な垂直断面を示す断面図（ａ）および脚部長手方向に沿う垂直断面を示す断面図（ｂ）である。
【図８】本発明の第３実施形態の壁紙糊付機の脚部のロック機構の要部を示す垂直断面を示す断面図である。
【図９】本発明の第４実施形態の壁紙糊付機の脚部のロック機構の構成を示す脚部長手方向に直角な垂直断面を示す断面図（ａ）および脚部長手方向に沿う垂直断面を示す断面図（ｂ）である。
【図１０】本発明の第４実施形態の壁紙糊付機の脚部の開閉動作を示す説明図（ａ）〜（ｆ）である。
【図１１】本発明の第４実施形態の変形例の壁紙糊付機の脚部のロック機構の構成を示す脚部長手方向に沿う垂直断面で見た断面図である。
【図１２】本発明の第５実施形態の壁紙糊付機の脚部のロック機構の要部を示す垂直断面を示す断面図である。
【図１３】従来の壁紙糊付機の一例を示す側面図である。
【符号の説明】
【００７７】
１  フレーム
２  脚
３  支持部材
3ａ  係止用突起
４  支持軸
５  係止用突起
６  第１切欠き
７  第１支点ピン（第１支点）
７ａ  バネ部材
８  第１ロックレバー
８ａ  突起
９  第２切欠き
10  第２支点ピン（第２支点）
11  第２ロックレバー
12  長穴
13  ピン
14  ハンドル棒
14ａ  切欠き
15  バネ
16  ピン
17  ピン
18  ロックレバー
31  ピン
32  バネ
【図１】
2007229702.tif 000003
【図２】
2007229702.tif 000004
【図３】
2007229702.tif 000005
【図４】
2007229702.tif 000006
【図５】
2007229702.tif 000007
【図６】
2007229702.tif 000008
【図７】
2007229702.tif 000009
【図８】
2007229702.tif 000010
【図９】
2007229702.tif 000011
【図１０】
2007229702.tif 000012
【図１１】
2007229702.tif 000013
【図１２】
2007229702.tif 000014
【図１３】
2007229702.tif 000015
【手続補正書】
【提出日】平成18年9月4日(2006.9.4)
【手続補正１】
【補正対象書類名】明細書
【補正対象項目名】００１０
【補正方法】変更
【補正の内容】
【００１０】
この壁紙糊付機は、脚を開いた状態で使用し、運搬時等に嵩張らないよう脚を折り畳む（閉じる）ものであって、脚は上端部の支点を中心に回動自在である。そして、開脚および閉脚の際のロックおよびロック解除の操作は一方のロックレバー、例えば第１ロックレバーの回動操作により行うもので、その場合、開脚状態では、第１ロックレバーを一方向（ロック方向）に回動し、第１切欠きを脚の係止用突起と係合させることで、脚が開脚状態でロックされる。そして、閉脚するときは、第１ロックレバーを反対方向（解除方向）に回動させると、第１切欠きが脚の係止用突起から外れてロックが解除され、その状態で脚を上端部の支点を中心に回動させて閉じていき、脚が完全に閉じた状態で第１ロックレバーをロック方向に回動させると、第２ロックレバーが連動して回動し、第２切欠きが脚の係止用突起と係合して脚が閉脚状態でロックされる。また、開脚する時は、第１ロックレバーを解除方向に回動させると、第２ロックレバーが連動して回動し、第２切欠きが脚の係止用突起から外れてロックが解除され、その状態で脚を回動させて開いていき、脚が完全に開いた状態で第１ロックレバーをロック方向に回動させると、第１切欠きが脚の係止用突起と係合して脚が開脚状態でロックされる。このようにして脚を開脚状態および閉脚状態でそれぞれ確実にロックでき、かつ、１つのロックレバーの回動操作で脚のロックあるいはロック解除を行うことができる。そのため、例えば壁紙糊付機を車等で運ぶ際の積み降ろしの際の脚の開閉作業が容易になる。そして、この壁紙糊付機は、脚を開脚状態および閉脚状態で固定するためのロックレバーを、連動する２つのロックレバーで構成したことにより、第１切欠きと第２切欠きが、開脚時および閉脚時にそれぞれ係止用突起と略直角に係合するよう構成することができ、ロックを一層確実なものとすることができる。
【手続補正２】
【補正対象書類名】明細書
【補正対象項目名】００１２
【補正方法】変更
【補正の内容】
【００１２】
この壁紙糊付機は、脚を開いた状態で使用し、運搬時等に嵩張らないよう脚を折り畳む（閉じる）ものであって、脚は上端部の支点を中心に回動自在である。そして、開脚状態では、ロックレバーを一方向（ロック方向）に回動し、第１切欠きを脚の係止用突起と係合させることで、脚が開脚状態でロックされる。そして、閉脚するときは、ロックレバーを反対方向（解除方向）に回動させると、第１切欠きが脚の係止用突起から外れてロックが解除され、その状態で脚を上端部の支点を中心に回動させて閉じていき、脚が完全に閉じた状態でロックレバーをロック方向に回動させると、第２切欠きが脚の係止用突起と係合して脚が閉脚状態でロックされる。また、開脚するときは、ロックレバーを解除方向に回動させると、第２切欠きが脚の係止用突起から外れてロックが解除され、その状態で脚を回動させて開いていき、脚が完全に開いた状態でロックレバーをロック方向に回動させると、第１切欠きが脚の係止用突起と係合して脚が開脚状態でロックされる。このようにして脚を開脚状態および閉脚状態でそれぞれ確実にロックでき、かつ、１つのロックレバーの回動操作で脚のロックあるいはロック解除を行うことができる。そのため、例えば壁紙糊付機を車等で運ぶ際の積み降ろしの際の脚の開閉作業が容易になる。この壁紙糊付機は、脚を開脚状態および閉脚状態で固定するためのロックレバーが１つであり、ロック機構の部品点数が少なくて済む。
【手続補正３】
【補正対象書類名】明細書
【補正対象項目名】００７６
【補正方法】変更
【補正の内容】
【００７６】
【図１】本発明の第１実施形態の壁紙糊付機の脚部のロック機構の構成を示すフレーム長手方向に直角な断面を示す断面図（ａ）およびフレーム長手方向に沿う垂直断面を示す断面図（ｂ）である。
【図２】本発明の第１実施形態の壁紙糊付機の脚部の開閉動作を示す説明図（ａ）〜（ｆ）である。
【図３】本発明の第１実施形態の変形例の壁紙糊付機の脚部のロック機構の構成を示すフレーム長手方向に直角な断面を示す断面図（ａ）およびフレーム長手方向に沿う垂直断面を示す断面図（ｂ）である。
【図４】本発明の第１実施形態の変形例の壁紙糊付機の脚部の開閉動作を示す説明図（ａ）〜（ｆ）である。
【図５】本発明の第２実施形態の壁紙糊付機の脚部のロック機構の構成を示すフレーム長手方向に直角な断面を示す断面図（ａ）およびフレーム長手方向に沿う垂直断面を示す断面図（ｂ）である。
【図６】本発明の第２実施形態の壁紙糊付機の脚部の開閉動作を示す説明図（ａ）〜（ｆ）である。
【図７】本発明の第３実施形態の壁紙糊付機の脚部のロック機構の構成を示すフレーム長手方向に直角な断面を示す断面図（ａ）およびフレーム長手方向に沿う垂直断面を示す断面図（ｂ）である。
【図８】本発明の第３実施形態の壁紙糊付機の脚部のロック機構の要部を示す垂直断面を示す断面図である。
【図９】本発明の第４実施形態の壁紙糊付機の脚部のロック機構の構成を示すフレーム長手方向に直角な断面を示す断面図（ａ）およびフレーム長手方向に沿う垂直断面を示す断面図（ｂ）である。
【図１０】本発明の第４実施形態の壁紙糊付機の脚部の開閉動作を示す説明図（ａ）〜（ｆ）である。
【図１１】本発明の第４実施形態の変形例の壁紙糊付機の脚部のロック機構の構成を示す脚部長手方向に沿う垂直断面で見た断面図である。
【図１２】本発明の第５実施形態の壁紙糊付機の脚部のロック機構の要部を示す垂直断面を示す断面図である。
【図１３】従来の壁紙糊付機の一例を示す側面図である。